【誤訳訂正書】
【提出日】平成20年7月22日(2008.7.22)
【誤訳訂正１】
【訂正対象書類名】特許請求の範囲
【訂正対象項目名】全文
【訂正方法】変更
【訂正の内容】
【特許請求の範囲】
【請求項１】
可変レートのデジタルチャネルを通して発信元ファックス機器から宛先ファックス機器にファックスを送信するシステムにおいて、
発信元インターフェイス手段と宛先インターフェイス手段とを具備し、
前記発信元インターフェイス手段は、
第１の送信レートで前記発信元ファックス機器から第１のアナログ情報信号を受信し、前記第１の送信レートは前記可変レートのデジタルチャネルの平均データレートより小さいかまたは等しく、
前記第１のアナログ情報信号をデジタル情報信号に変換し、
複数の制御信号を発生させ、
前記可変レートのデジタルチャネルを通して前記デジタル情報信号と前記複数の制御信号とを送信し、
前記可変レートのデジタルチャネルを通して複数の宛先インターフェイスデバイス応答を受信し、
前記発信元ファックス機器との間の第１のトレーニングセッションを生じさせ、前記第１のトレーニングセッションの結果により前記第１の送信レートになり、
前記宛先ファックス機器がＶ．２９能力のみを有するファックス機器である場合に、前記発信元ファックス機器がＶ．２７ｔｅｒおよびＶ．２９能力を有するファックス機器と通信しているという誤報を前記発信元ファックス機器に伝え、
前記宛先インターフェイス手段は、
前記デジタル情報信号と前記複数の制御信号とを受信し、
前記デジタル情報信号を第２のアナログ情報信号に変換し、
前記第２のアナログ情報信号を第２の送信レートで前記宛先ファックス機器に送信し、前記第２の送信レートは前記第１の送信レートより大きいかまたは等しく、
前記宛先ファックス機器に送信するための１組の指示を発生させ、前記１組の指示は前記複数の制御信号により発生され、
前記１組の指示に対する複数の宛先ファックス機器応答を受信し、
前記複数の宛先ファックス機器応答を複数の宛先インターフェイスデバイス応答に変換し、
前記複数の宛先インターフェイスデバイス応答を前記発信元インターフェイス手段に送信し、
前記宛先ファックス機器との間の第２のトレーニングセッションを生じさせ、前記第２のトレーニングセッションの結果により前記第２の送信レートになるシステム。
【請求項２】
可変レートのデジタルチャネルを通して発信元ファックス機器から宛先ファックス機器にファックスを送信するシステムにおいて、
発信元インターフェイス手段と宛先インターフェイス手段とを具備し、
前記発信元インターフェイス手段は、
第１の送信レートで前記発信元ファックス機器から第１のアナログ情報信号を受信し、前記第１の送信レートは前記可変レートのデジタルチャネルの平均データレートより小さいかまたは等しく、
前記第１のアナログ情報信号をデジタル情報信号に変換し、
複数の制御信号を発生させ、
前記可変レートのデジタルチャネルを通して前記デジタル情報信号と前記複数の制御信号とを送信し、
前記可変レートのデジタルチャネルを通して複数の宛先インターフェイスデバイス応答を受信し、
宛先インターフェイス手段にプリアンブルインジケータを送信し、前記プリアンブルインジケータは前記複数の制御信号のうちの１つであり、発信元ファックスプリアンブルメッセージの送信の開始を示すものであり、
前記宛先インターフェイス手段は、
前記デジタル情報信号と前記複数の制御信号とを受信し、
前記デジタル情報信号を第２のアナログ情報信号に変換し、
前記第２のアナログ情報信号を第２の送信レートで前記宛先ファックス機器に送信し、前記第２の送信レートは前記第１の送信レートより大きいか等しく、
前記宛先ファックス機器に送信するための１組の指示を発生させ、前記１組の指示は前記複数の制御信号により発生され、
前記１組の指示に対する複数の宛先ファックス機器応答を受信し、
前記複数の宛先ファックス機器応答を複数の宛先インターフェイスデバイス応答に変換し、
前記複数の宛先インターフェイスデバイス応答を前記発信元インターフェイス手段に送信し、
前記発信元ファックスプリアンブルメッセージの送信が終わる前に新規のプリアンブルメッセージを発生させ、前記宛先ファックス機器に前記新規のプリアンブルメッセージを送信するシステム。
【請求項３】
可変レートのデジタルチャネルを通して発信元ファックス機器から宛先ファックス機器にファックスを送信するシステムにおいて、
発信元インターフェイス手段と宛先インターフェイス手段とを具備し、
前記発信元インターフェイス手段は、
第１の送信レートで前記発信元ファックス機器から第１のアナログ情報信号を受信し、前記第１の送信レートは前記可変レートのデジタルチャネルの平均データレートより小さいかまたは等しく、
前記第１のアナログ情報信号をデジタル情報信号に変換し、
複数の制御信号を発生させ、
前記可変レートのデジタルチャネルを通して前記デジタル情報信号と前記複数の制御信号とを送信し、
前記可変レートのデジタルチャネルを通して複数の宛先インターフェイスデバイス応答を受信し、
宛先ファックスプリアンブルメッセージの送信が終わる前に新規のプリアンブルメッセージを発生させ、前記発信元ファックス機器に前記新規のプリアンブルメッセージを送信し、
前記宛先インターフェイス手段は、
前記デジタル情報信号と前記複数の制御信号とを受信し、
前記デジタル情報信号を第２のアナログ情報信号に変換し、
前記第２のアナログ情報信号を第２の送信レートで前記宛先ファックス機器に送信し、前記第２の送信レートは前記第１の送信レートより大きいか等しく、
前記宛先ファックス機器に送信するための１組の指示を発生させ、前記１組の指示は前記複数の制御信号により発生され、
前記１組の指示に対する複数の宛先ファックス機器応答を受信し、
前記複数の宛先ファックス機器応答を複数の宛先インターフェイスデバイス応答に変換し、
前記複数の宛先インターフェイスデバイス応答を前記発信元インターフェイス手段に送信し、
前記発信元インターフェイス手段にプリアンブルインジケータを送信し、前記プリアンブルインジケータは前記複数の宛先インターフェイスデバイス応答のうちの１つであり、前記宛先ファックスプリアンブルメッセージの送信の開始を示すものであるシステム。
【請求項４】
可変レートのデジタルチャネルを通して発信元ファックス機器から宛先ファックス機器にファックスを送信するシステムにおいて、
発信元インターフェイス手段と宛先インターフェイス手段とを具備し、
前記発信元インターフェイス手段は、
第１の送信レートで前記発信元ファックス機器から第１のアナログ情報信号を受信し、前記第１の送信レートは前記可変レートのデジタルチャネルの平均データレートより小さいかまたは等しく、
前記第１のアナログ情報信号をデジタル情報信号に変換し、
複数の制御信号を発生させ、
前記可変レートのデジタルチャネルを通して前記デジタル情報信号と前記複数の制御信号とを送信し、
前記可変レートのデジタルチャネルを通して複数の宛先インターフェイスデバイス応答を受信し、
グループＩとグループＩＩのファックス処理がサポートされていないことを示すために前記宛先ファックス機器からのＤＩＳメッセージを修正し、
前記宛先インターフェイス手段は、
前記デジタル情報信号と前記複数の制御信号とを受信し、
前記デジタル情報信号を第２のアナログ情報信号に変換し、
前記第２のアナログ情報信号を第２の送信レートで前記宛先ファックス機器に送信し、前記第２の送信レートは前記第１の送信レートより大きいか等しく、
前記宛先ファックス機器に送信するための１組の指示を発生させ、前記１組の指示は前記複数の制御信号により発生され、
前記１組の指示に対する複数の宛先ファックス機器応答を受信し、
前記複数の宛先ファックス機器応答を複数の宛先インターフェイスデバイス応答に変換し、
前記複数の宛先インターフェイスデバイス応答を前記発信元インターフェイス手段に送信するシステム。
【請求項５】
可変レートのデジタルチャネルを通して発信元ファックス機器から宛先ファックス機器にファックスを送信するシステムにおいて、
発信元インターフェイス手段と宛先インターフェイス手段とを具備し、
前記発信元インターフェイス手段は、
第１の送信レートで前記発信元ファックス機器から第１のアナログ情報信号を受信し、前記第１の送信レートは前記可変レートのデジタルチャネルの平均データレートより小さいかまたは等しく、前記宛先ファックス機器からのＤＩＳメッセージにおける最小走査線時間を増加させることにより前記可変レートチャネルの平均データレートの変動が補償され、前記ＤＩＳメッセージは宛先インターフェイス手段により変換される複数の宛先ファックス機器応答のうちの１つであり、
前記第１のアナログ情報信号をデジタル情報信号に変換し、
複数の制御信号を発生させ、
前記可変レートのデジタルチャネルを通して前記デジタル情報信号と前記複数の制御信号とを送信し、
前記可変レートのデジタルチャネルを通して複数の宛先インターフェイスデバイス応答を受信し、
前記宛先インターフェイス手段は、
前記デジタル情報信号と前記複数の制御信号とを受信し、
前記デジタル情報信号を第２のアナログ情報信号に変換し、
前記第２のアナログ情報信号を第２の送信レートで前記宛先ファックス機器に送信し、前記第２の送信レートは前記第１の送信レートより大きいか等しく、
前記宛先ファックス機器に送信するための１組の指示を発生させ、前記１組の指示は前記複数の制御信号により発生され、
前記１組の指示に対する複数の宛先ファックス機器応答を受信し、
前記複数の宛先ファックス機器応答を複数の宛先インターフェイスデバイス応答に変換し、
前記複数の宛先インターフェイスデバイス応答を前記発信元インターフェイス手段に送信するシステム。
【請求項６】
可変レートのデジタルチャネルを通して発信元ファックス機器から宛先ファックス機器にファックスを送信するシステムにおいて、
発信元インターフェイス手段と宛先インターフェイス手段とを具備し、
前記発信元インターフェイス手段は、
第１の送信レートで前記発信元ファックス機器から第１のアナログ情報信号を受信し、前記第１の送信レートは前記可変レートのデジタルチャネルの平均データレートより小さいかまたは等しく、
前記第１のアナログ情報信号をデジタル情報信号に変換し、
複数の制御信号を発生させ、
前記可変レートのデジタルチャネルを通して前記デジタル情報信号と前記複数の制御信号とを送信し、
前記可変レートのデジタルチャネルを通して複数の宛先インターフェイスデバイス応答を受信し、
前記発信元ファックス機器との間の第１のトレーニングセッションを生じさせ、前記第１のトレーニングセッションの結果により前記第１の送信レートになり、
第１のメッセージを受信するまで前記第１のトレーニングセッションの完了を遅延させ、
前記宛先インターフェイス手段は、
前記デジタル情報信号と前記複数の制御信号とを受信し、
前記デジタル情報信号を第２のアナログ情報信号に変換し、
前記第２のアナログ情報信号を第２の送信レートで前記宛先ファックス機器に送信し、前記第２の送信レートは前記第１の送信レートより大きいか等しく、
前記宛先ファックス機器に送信するための１組の指示を発生させ、前記１組の指示は前記複数の制御信号により発生され、
前記１組の指示に対する複数の宛先ファックス機器応答を受信し、
前記複数の宛先ファックス機器応答を複数の宛先インターフェイスデバイス応答に変換し、
前記複数の宛先インターフェイスデバイス応答を前記発信元インターフェイス手段に送信し、
前記宛先ファックス機器との間の第２のトレーニングセッションを生じさせ、前記第２のトレーニングセッションの結果により前記第２の送信レートになり、
第１のメッセージを送信し、前記第１のメッセージは前記第２のトレーニングセッションからの前記第２の送信レートを含むシステム。
【請求項７】
前記発信元インターフェイス手段は、前記発信元ファックス機器からのＴＣＦメッセージを無視することにより前記第１のトレーニングセッションの完了をさらに遅延させる請求項６記載のシステム。
【請求項８】
前記第１のトレーニングセッションの完了を遅延させることは、前記発信元ファックス機器からの３つのＴＣＦメッセージを受信後にトレーニングメッセージに対してトレーニング失敗メッセージを送信することにより達成される請求項７記載のシステム。
【請求項９】
可変レートのデジタルチャネルを通して発信元ファックス機器から宛先ファックス機器にファックスを送信するシステムにおいて、
発信元インターフェイス手段と宛先インターフェイス手段とを具備し、
前記発信元インターフェイス手段は、
第１の送信レートで前記発信元ファックス機器から第１のアナログ情報信号を受信し、前記第１の送信レートは前記可変レートのデジタルチャネルの平均データレートより小さいかまたは等しく、
前記第１のアナログ情報信号をデジタル情報信号に変換し、
複数の制御信号を発生させ、
前記可変レートのデジタルチャネルを通して前記デジタル情報信号と前記複数の制御信号とを送信し、
前記可変レートのデジタルチャネルを通して複数の宛先インターフェイスデバイス応答を受信し、
前記発信元ファックス機器と間の第１のトレーニングセッションを生じさせ、前記第１のトレーニングセッションの結果により前記第１の送信レートになり、
前記宛先インターフェイス手段は、
前記デジタル情報信号と前記複数の制御信号とを受信し、
前記デジタル情報信号を第２のアナログ情報信号に変換し、
前記第２のアナログ情報信号を第２の送信レートで前記宛先ファックス機器に送信し、前記第２の送信レートは前記第１の送信レートより大きいか等しく、
前記宛先ファックス機器に送信するための１組の指示を発生させ、前記１組の指示は前記複数の制御信号により発生され、
前記１組の指示に対する複数の宛先ファックス機器応答を受信し、
前記複数の宛先ファックス機器応答を複数の宛先インターフェイスデバイス応答に変換し、
前記複数の宛先インターフェイスデバイス応答を前記発信元インターフェイス手段に送信し、
前記宛先ファックス機器との間の第２のトレーニングセッションを生じさせ、前記第２のトレーニングセッションの結果により前記第２の送信レートになり、
前記宛先ファックス機器により通知される最小走査線時間を変更し、
前記変更された最小走査線時間を発信元インターフェイス手段に送信し、
前記宛先ファックス機器により通知される最小走査線時間を使用する前記宛先ファックス機器に前記第２のアナログ情報信号を送信するシステム。
【請求項１０】
可変レートのデジタルチャネルを通して発信元ファックス機器から宛先ファックス機器にファックスを送信するシステムにおいて、
発信元インターフェイス手段と宛先インターフェイス手段とを具備し、
前記発信元インターフェイス手段は、
第１の送信レートで前記発信元ファックス機器から第１のアナログ情報信号を受信し、前記第１の送信レートは前記可変レートのデジタルチャネルの平均データレートより小さいかまたは等しく、
前記第１のアナログ情報信号をデジタル情報信号に変換し、
複数の制御信号を発生させ、
前記可変レートのデジタルチャネルを通して前記デジタル情報信号と前記複数の制御信号とを送信し、
前記可変レートのデジタルチャネルを通して複数の宛先インターフェイスデバイス応答を受信し、
前記発信元ファックス機器との間の第１のトレーニングセッションを生じさせ、前記第１のトレーニングセッションの結果により前記第１の送信レートになり、
宛先インターフェイス手段により通知される最小走査線時間を変更し、
前記変更された最小走査線時間を発信元ファックス機器に送信し、
宛先インターフェイス手段により通知される最小走査線時間を使用する前記宛先インターフェイスに前記デジタル情報信号を送信し、
前記宛先インターフェイス手段は、
前記デジタル情報信号と前記複数の制御信号とを受信し、
前記デジタル情報信号を第２のアナログ情報信号に変換し、
前記第２のアナログ情報信号を第２の送信レートで前記宛先ファックス機器に送信し、前記第２の送信レートは前記第１の送信レートより大きいか等しく、
前記宛先ファックス機器に送信するための１組の指示を発生させ、前記１組の指示は前記複数の制御信号により発生され、
前記１組の指示に対する複数の宛先ファックス機器応答を受信し、
前記複数の宛先ファックス機器応答を複数の宛先インターフェイスデバイス応答に変換し、
前記複数の宛先インターフェイスデバイス応答を前記発信元インターフェイス手段に送信し、
前記宛先ファックス機器との間の第２のトレーニングセッションを生じさせ、前記第２のトレーニングセッションの結果により前記第２の送信レートになるシステム。
【請求項１１】
可変レートのデジタルチャネルを通して発信元ファックス機器から宛先ファックス機器にファックスを送信し、発信元インターフェイス手段から前記発信元ファックス機器に変更された最小走査線時間を送信することにより前記可変レートのデジタルチャネルを補償し、前記変更された最小の走査線時間は、前記宛先ファックス機器の最小走査線時間より大きいか等しいシステムにおいて、
発信元インターフェイス手段と宛先インターフェイス手段とを具備し、
前記発信元インターフェイス手段は、
第１の送信レートで前記発信元ファックス機器から第１のアナログ情報信号を受信し、前記第１の送信レートは前記可変レートのデジタルチャネルの平均データレートより小さいかまたは等しく、
前記第１のアナログ情報信号をデジタル情報信号に変換し、
複数の制御信号を発生させ、
前記可変レートのデジタルチャネルを通して前記デジタル情報信号と前記複数の制御信号とを送信し、
前記可変レートのデジタルチャネルを通して複数の宛先インターフェイスデバイス応答を受信し、
前記発信元ファックス機器との間の第１のトレーニングセッションを生じさせ、前記第１のトレーニングセッションの結果により前記第１の送信レートになり、
前記宛先インターフェイス手段は、
前記デジタル情報信号と前記複数の制御信号とを受信し、
前記デジタル情報信号を第２のアナログ情報信号に変換し、
前記第２のアナログ情報信号を第２の送信レートで前記宛先ファックス機器に送信し、前記第２の送信レートは前記第１の送信レートより大きいか等しく、
前記宛先ファックス機器に送信するための１組の指示を発生させ、前記１組の指示は前記複数の制御信号により発生され、
前記１組の指示に対する複数の宛先ファックス機器応答を受信し、
前記複数の宛先ファックス機器応答を複数の宛先インターフェイスデバイス応答に変換し、
前記複数の宛先インターフェイスデバイス応答を前記発信元インターフェイス手段に送信し、
前記宛先ファックス機器との間の第２のトレーニングセッションを生じさせ、前記第２のトレーニングセッションの結果により前記第２の送信レートになるシステム。
【請求項１２】
可変レートのデジタルチャネルを通して発信元ファックス機器から宛先ファックス機器にファックスを送信するシステムにおいて、
発信元インターフェイス手段と宛先インターフェイス手段とを具備し、
前記発信元インターフェイス手段は、
第１の送信レートで前記発信元ファックス機器から第１のアナログ情報信号を受信し、前記第１の送信レートは前記可変レートのデジタルチャネルの平均データレートより小さいかまたは等しく、
前記第１のアナログ情報信号をデジタル情報信号に変換し、
複数の制御信号を発生させ、
前記可変レートのデジタルチャネルを通して前記デジタル情報信号と前記複数の制御信号とを送信し、
前記可変レートのデジタルチャネルを通して複数の宛先インターフェイスデバイス応答を受信し、
前記発信元ファックス機器との間の第１のトレーニングセッションを生じさせ、前記第１のトレーニングセッションの結果により前記第１の送信レートになり、
前記宛先インターフェイス手段は、
前記デジタル情報信号と前記複数の制御信号とを受信し、
前記デジタル情報信号を第２のアナログ情報信号に変換し、
前記第２のアナログ情報信号を第２の送信レートで前記宛先ファックス機器に送信し、前記第２の送信レートは前記第１の送信レートより大きいか等しく、
前記宛先ファックス機器に送信するための１組の指示を発生させ、前記１組の指示は前記複数の制御信号により発生され、
前記１組の指示に対する複数の宛先ファックス機器応答を受信し、
前記複数の宛先ファックス機器応答を複数の宛先インターフェイスデバイス応答に変換し、
前記複数の宛先インターフェイスデバイス応答を前記発信元インターフェイス手段に送信し、
前記宛先ファックス機器との間の第２のトレーニングセッションを生じさせ、前記第２のトレーニングセッションの結果により前記第２の送信レートになり、前記第１のトレーニングセッションと前記第２のトレーニングセッションは同じ送信レートで開始するが、前記第１のトレーニングセッションと前記第２のトレーニングセッションの終わりにおいて、前記第１の送信レートが前記第２の送信レートより小さいシステム。
【請求項１３】
可変レートのデジタルチャネルを通して発信元ファックス機器から宛先ファックス機器にファックスを送信する方法において、
宛先ファックス送信レートで宛先インターフェイスデバイスと前記宛先ファックス機器との間の通信を成立させるステップと、
可変レートのデジタルチャネルの平均レートで前記宛先インターフェイスデバイスと発信元インターフェイスデバイスとの間の通信を成立させるステップと、
発信元ファックス送信レートで前記発信元インターフェイスデバイスと前記発信元ファックス機器との間の通信を成立させ、前記発信元ファックス送信レートは、前記可変レートのデジタルチャネルの平均レートおよび前記宛先ファックス送信レートより小さいかまたは等しいステップと、
前記宛先インターフェイスデバイスと前記宛先ファックス機器との間に宛先トレーニングセッションを生じさせるステップと、
前記発信元インターフェイスデバイスに宛先トレーニングセッション情報を受信するステップと、
前記発信元インターフェイスデバイスにおいて宛先トレーニングセッション情報を処理するステップと、
前記発信元インターフェイスデバイスと前記発信元ファックス機器との間に発信元トレーニングセッションを生じさせ、前記発信元インターフェイスデバイスが前記宛先インターフェイスデバイスから宛先トレーニングセッションの成功を示す宛先トレーニングセッション情報を受信するまで前記発信元トレーニングセッションの完了が遅延され、前記宛先トレーニングセッションの成功を示す宛先トレーニングセッション情報が前記宛先トレーニングセッションからの前記宛先ファックス送信レートを含むステップとを含む方法。
【請求項１４】
可変レートのデジタルチャネルを通して発信元ファックス機器から宛先ファックス機器にファックスを送信する方法において、
第1の送信レートで前記発信元ファックス機器から発信元インターフェイスデバイスに第１のアナログ情報信号を受信し、前記第１の送信レートは可変レートのデジタルチャネルの平均データレートより小さいかまたは等しいステップと、
前記発信元インターフェイスデバイスにおいて前記第１のアナログ情報信号をデジタル情報信号に変換するステップと、
前記発信元インターフェイスデバイスにおいて複数の制御信号を発生させるステップと、
前記可変レートのデジタルチャネルを通して前記デジタル情報信号と前記複数の制御信号とを宛先インターフェイスデバイスに送信するステップと、
前記宛先インターフェイスデバイスにおいて前記デジタル情報信号と前記複数の制御信号とを受信するステップと、
前記発信元インターフェイスデバイスにおいて前記宛先インターフェイスデバイスから可変レートのデジタルチャネルを通して複数の宛先インターフェイスデバイス応答を受信するステップと、
前記宛先インターフェイスデバイスにおいて前記デジタル情報信号を第２のアナログ情報信号に変換するステップと、
第２の送信レートで前記宛先インターフェイスデバイスから前記宛先ファックス機器に前記第２のアナログ情報信号を送信し、前記第２の送信レートは前記第１の送信レートより大きいかまたは等しいステップと、
前記宛先インターフェイスデバイスにおいて前記宛先ファックス機器に送信するための１組の指示を発生させ、前記１組の指示は前記複数の制御信号により決定されるステップと、
前記宛先ファックス機器に前記１組の指示を送信するステップと、
前記宛先インターフェイスデバイスにおいて複数の宛先ファックス機器応答を受信し、前記複数の宛先ファックス機器応答は前記１組の指示に基づくものであるステップと、
前記宛先インターフェイスデバイスにおいて前記複数の宛先ファックス機器応答を前記複数の宛先インターフェイスデバイス応答に変換するステップと、
前記複数の宛先インターフェイスデバイス応答を前記発信元インターフェイスデバイスに送信するステップと、
前記発信元インターフェイスデバイスと前記発信元ファックス機器との間に第１のトレーニングセッションを生じさせ、前記第１のトレーニングセッションの結果により前記第１の送信レートになるステップと、
前記宛先インターフェイスデバイスと前記宛先ファックス機器との間に第２のトレーニングセッションを生じさせ、前記第２のトレーニングセッションの結果により前記第２の送信レートになるステップと、
前記発信元インターフェイスデバイスが前記宛先インターフェイスデバイスから第１のメッセージを受信するまで前記第1のトレーニングセッションの完了を遅延させ、前記第1のメッセージは前記第２のトレーニングセッションからの前記第２の送信レートを含むステップとを含む方法。
【誤訳訂正２】
【訂正対象書類名】明細書
【訂正対象項目名】全文
【訂正方法】変更
【訂正の内容】
【発明の詳細な説明】
【発明の名称】アナログファックス装置のためのデジタルネットワークインターフェイス
【発明の分野】
【０００１】
本発明は、デジタルワイヤレス電話システム用のインターフェイスに関する。特に、本発明は、標準的なアナログファックス機器と互換性を持つデジタルネットワークインターフェイスに関する。
【関連技術の説明】
【０００２】
アナログファクシミリ（ファックス）機器は、デジタルデータを正弦波トーンに変換することによって、アナログ送信システムを通して紙文書を表すデジタルデータを送信している。図１は、アナログ送信システム４を通して連結された２つのファックス機器２のブロック図である。一般的には、アナログ送信システム４は、通常の電話サービスを提供するために使用されるワイヤライン電話ネットワークである公衆電話交換ネットワーク（ＰＳＴＮ）である。
【０００３】
アナログ送信システムに加えて、またはこれに代えて、インターネットのようなデジタル送信システムを用いるデータ送信がますます盛んになっている。図２は、アナログ送信システム８およびワイヤレスデジタル送信システム６を通して連結された２台のファックス機器２のブロック図である。
【０００４】
１つの特に重要なタイプのデジタルネットワークは、デジタル信号処理およびデジタル通信技術を用いて無線周波数（ＲＦ）信号を用いる効率的なワイヤレス電話サービスを提供する、デジタルワイヤレスセルラ電話システムである。図３は、一般的に構成されたデジタルセルラ電話システムのブロック図である。加入者ユニット１０および１１（通常、セルラ電話機）がデジタル変調されたＲＦ信号を用いて基地局１２とインターフェイスし、基地局制御装置１４がさまざまな通話管理機能を提供して移動通信を可能としている。
【０００５】
加えて、図３は、ソフトハンドオフと呼ばれる状態で２つの基地局１２と通信している加入者ユニット１０を示している。この状態は、ＩＳ−９５無線セルラ電話システムインターフェイス標準規格に対応しており、符号分割多元接続（ＣＤＭＡ）信号処理および通信を用いて、非常に効率的で強固なセルラ電話サービスを提供している。
【０００６】
一般にデジタル送信システム、特にワイヤレスデジタル送信システムは、アナログ送信システムとは異なる送信特性を持つ。これらの異なる送信特性には、送信の再試行により生成される可変送信遅延、および損失のある符号化を用いることによって完璧な方法でのトーンの送信を不能にすることが含まれる。損失のある符号化は、デジタルセルラ電話システムを用いて送信される音声および他のオーディオ情報で実行され、音声通信を実現するために必要なデータ量を最小にする。
【０００７】
さらに、デジタルワイヤレス電話システムにおける音声チャネルの最大データ送信レートは、ワイヤベースのアナログ電話システムのそれよりもかなり小さい。音声通信は、上述した損失のある符号化を用いたこれら縮小レートチャネルで実施される。これは、アナログシステムおよび他の損失のない符号化技術よりも効率的である。
【０００８】
これらの異なる送信特性は、ワイヤレスデジタル送信システムをアナログファックス機器の使用と互換性のないものにしてしまう。例えば、音声通信は、損失のある符号化を許容することができるが、アナログファックス送信は、損失のある符号化を許容することができない。さらに、アナログファックス送信は、一般的にワイヤレスデジタル遠隔通信システムによって提供されるデータレートチャネルよりも高いデータレートチャネルを必要とする。
【０００９】
ＲＦスペクトルの増大した利用可能性によって、およびより効率的なデジタル技術の導入によってデジタルワイヤレス遠隔通信サービスのコストが低減されるので、電話サービスの主な発信元としてデジタルワイヤレス電話システムがさらに用いられるようになっている。しかしながら、既にアナログファックス機器を所有する個人および企業のためには、デジタルワイヤレス電話機を備えたアナログファックス機器の使用を継続することが望ましい。それゆえ、アナログファックス機器が、デジタルワイヤレス電話通信システムを含むデジタルネットワークを含む接続を通して通信を実現できる方法および装置に対する必要性が存する。
【発明の概要】
【００１０】
本発明は、標準的なアナログワイヤファックス機器と互換性のあるデジタルワイヤレス電話システムに対するインターフェイスを提供する、新規で改良された方法および装置である。ファックスを処理するために、発信元インターフェイスは、発信元ファックス機器に対するインターフェイスを確立する前に、宛先ファックス機器に対するインターフェイスが確立されるまで待つ。この発信元ファックスインターフェイスレートは、宛先ファックスインターフェイスレートおよびデジタルチャネルのデータレートより小さいかまたは等しくなければならない。適切なレートで発信元ファックスインターフェイスを確立するために、発信元インターフェイスはまず１セットの標準的なファックス送信レートから初期データレートを選択する。発信元ファックスインターフェイスレートがデータチャネルレートおよび宛先ファックスインターフェイスレートより小さいか、またはこれと等しくなるまで、発信元インターフェイスは、受け入れられないレート（トレーニング失敗）のメッセージを発信元ファックス機器に送る。宛先ファックス送信レートが発信元ファックス送信レートよりも大きい場合、ファックス処理中に、宛先インターフェイスは非プリントデータ（埋め込みビット）を挿入する。
【００１１】
本発明の特徴、目的、および効果は、同一の参照符号が同一のものを示す図面を参照すれば、下記に記述した詳細な記載からより明らかとなる。
【好ましい実施形態の詳細な説明】
【００１２】
標準的なアナログファックス機器と互換性を持つデジタルネットワークインターフェイスが説明される。ファックスの通話は、ここに参照により取り込まれる“ＩＴＵ−Ｔ推奨Ｔ．３０：一般交換電話ネットワークにおける文書ファックス送信についての手順”で特定される仕様にしたがわなければならない。例示的な実施形態においては、ファックス通話開始時のパラメータネゴシエーションは、ここに参照により取り込まれる“ＣＣＩＴＴ推奨Ｖ．２１：一般交換電話ネットワーク（ＧＳＴＮ）での使用のために標準化された３００ＢＰＳデュプレクスモデム”で特定される変調技術を用いたＴ．３０にしたがって達成される。
【００１３】
図４Ａは、デジタルネットワーク２０、ＰＳＴＮ２２、ならびにデジタルネットワーク２０の両側に置かれているアナログファックスインターフェイス２４ａおよび２４ｂによって互いに連結された２つのアナログファックス機器１８ａおよび１８ｂのブロック図である。各アナログインターフェイス２４のアナログインターフェイス側は、点および各アナログファックスインターフェイス２４の双方向可能性を示す２つの矢印で示されている。
【００１４】
図４Ｂは、アナログファックスがアナログファックス機器１８ａからアナログファックス機器１８ｂに送信される場合の、アナログファックスインターフェイス２４ａ、２４ｂの構成を示している。本発明にしたがうと、アナログインターフェイス２４は、矢印で示す送信の方向にファックスを処理するよう構成されている。
【００１５】
ファックスが示された方向に送信される場合、アナログファックス機器１８ａは“発信元ファックス機器”と呼ばれ、アナログファックス機器１８ｂは“宛先ファックス機器”と呼ばれる。同様に、アナログファックスインターフェイス２４ａは“発信元インターフェイス”と呼ばれ、インターフェイス２４ｂは“宛先インターフェイス”と呼ばれる。
【００１６】
図４Ｃは、アナログファックスがアナログファックス機器１８ｂからアナログファックス機器１８ａに送信される場合の、アナログファックスインターフェイス２４ａ、２４ｂの構成を示している。この構成においては、アナログファックス機器１８ｂが発信元ファックス機器とされ、アナログファックス機器１８ａが宛先ファックス機器とされる。さらに、アナログファックスインターフェイス２４ｂが発信元インターフェイスとされ、インターフェイス２４ａが宛先インターフェイスとされる。
【００１７】
図４Ｄは、本発明の好ましい実施形態にしたがって一対のアナログファックスインターフェイス２４が各デジタルネットワークの周りに置かれている場合に、２つのデジタルネットワークを通して２つのファックス機器１８が通信できることを示している。各アナログファックスインターフェイス２４は、ファックス機器１８に対して各デジタルネットワーク２０をアナログ送信システムとして見せかけている。これにより、ファックスは複数のデジタルネットワーク２０を通して適切に送信される。デジタルネットワークがデジタルセルラ電話システムである場合には、図４Ｄの構成は、移動ファックス送信についてはタンデム移動に相当する。
【００１８】
図４Ｅは、本発明の好ましい実施形態にしたがって、一対のアナログファックスインターフェイス２４が一対のデジタルネットワークの周りに置かれている場合に、２つの隣接するデジタルネットワークを通して２つのファックス機器１８が通信できることを示している。この構成においては、デジタルデータは、データをアナログネットワークを通して送信するのに適した形態に変換する必要なく、２つのデジタルネットワークの間で直接交換される。デジタルネットワークがデジタルセルラ電話システムの場合には、図４Ｅの構成は、移動ファックス送信については非タンデム移動に相当する。
【００１９】
本発明の好ましい実施形態においては、発信元インターフェイス２４ａおよび宛先インターフェイス２４ｂによって実行される信号変調および制御動作は、単一デジタル信号プロセッサ集積回路を用いて実行される。これらの制御動作には、標準的なファックス機器の動作にしたがって、アナログ入力を通して受信されたシグナリングメッセージを処理し、これに応答することが含まれる。
【００２０】
図４Ｂを再び参照すると、例示的なファックス送信の発信元インターフェイス２４ａおよび宛先インターフェイス２４ｂは、発信元ファックス機器１８ａから宛先ファックス機器１８ｂへファックスを適切に送信するためのさまざまなステップを実行しなければならない。
【００２１】
図５Ａは、本発明の一実施形態にしたがって発信元ファックス機器１８ａから宛先ファックス機器１８ｂへファックスを処理する場合の、発信元インターフェイス２４ａおよび宛先インターフェイス２４ｂの動作を図示したフローチャートである。一般に、システム間で送信されるメッセージが太い水平線で示され、破線は示されている時に生じるまたは生じないメッセージ送信を示し、実線は順序立っている動作の間に送信されるべきメッセージを示している。さらに、他のすべてのステップは当業者にとって自明であり、本発明の説明を曖昧にするにすぎないので、本発明の動作に関連した発信元ファックス機器１８ａおよび宛先ファックス機器１８ｂによって実行されるステップのみが示されている。ファックスの送信がステップ５０ａないし５０ｄで開始され、ステップ５２で発信元ファックス機器１８ａが起動される。この起動により、ステップ５４および５６において、発信元インターフェイス２４ａは、宛先インターフェイス２４ｂとのレートが制限されたデジタルチャネルを確立し、最大送信レートを含むそのデジタルチャネルについてのさまざまな特性を記録する。
【００２２】
発信元ファックス１８ａは、発信元インターフェイス２４ａに対してファックスの通話が行われることを通知する。この通知は、ＩＴＵ−ＴＲ  Ｔ．３０にしたがった発信元ファックス機器１８ａによって発生することのできるオプション的なＣＮＧトーンから、または発信元インターフェイス２４ａに対する所定セットのＤＴＭＦトーンの送信から生じる。ファックス通信が行われることを発信元インターフェイス２４ａへ通知する一つの方法は、１９９６年９月２４日に出願され、本発明米国特許出願番号が未だ付与されていない“アナログ遠隔通信装置用デジタルワイヤレス電話システムインターフェイス”に記述されている。この米国出願は本発明の譲受人に譲渡されており、参照によりこの明細書に組み込まれる。応答して、発信元インターフェイス２４ａがデジタルシグナリングメッセージを通して、ファックス通話が行われることを宛先インターフェイス２４ｂに通知する。
【００２３】
代替実施形態では、ステップ５８および５６で、宛先ファックス機器１８ｂが、ファックス通話が行われることを宛先インターフェイス２４ｂに示すことができる。宛先インターフェイス２４ｂがファックス通話を検出する方法は、１９９６年１１月１５日に出願され、本発明米国特許出願番号が未だ付与されていない“ファクシミリ送信を検出するための方法および装置”に記述されている。この米国出願は本発明の譲受人に譲渡されており、参照によりこの明細書に組み込まれる。
【００２４】
ステップ５８で宛先ファックス機器１８ｂとのアナログチャネルを確立することによって、宛先インターフェイスはステップ５６で応答する。宛先インターフェイス２４ｂと宛先ファックス機器１８ｂ間の例示的なアナログチャネルは、公衆電話交換ネットワーク（ＰＳＴＮ）である。
【００２５】
アナログチャネルが確立された後、宛先インターフェイス２４ｂは、ステップ６２において宛先ファックス機器１８ｂにＣＮＧトーンを送信する。このトーンはステップ６０で宛先ファックス機器１８ｂによって受信される。宛先ファックス機器１８ｂは、ステップ６０でＩＴＵ−ＴＲ  Ｔ．３０にしたがってＣＥＤトーン（図示せず）を宛先インターフェイス２４ｂに送信してもよい。
【００２６】
ステップ６４で、宛先インターフェイス２４ｂはＶ．２１モードに入る。アナログトーンをデジタルデータに変換し、受信されたＶ．２１メッセージを検査することによって、宛先インターフェイス２４ｂは、ステップ６６で、宛先ファックス機器１８ｂからステップ６８で送信されたＶ．２１メッセージを処理する。
【００２７】
ファックス処理のこの時点で宛先ファックス機器１８ｂによって送信される可能性のあるＶ．２１メッセージは、非標準機能（ＮＳＦ）、被呼加入者識別子（ＣＳＩ）、およびデジタル識別子信号（ＤＩＳ）である。ＤＩＳメッセージは、受け入れ可能な変調プロトコルおよび最大復調レートを含む宛先ファックス機器１８ｂのファックス性能についての情報を含んでいる。変調プロトコルは、Ｖ．２７ｔｅｒ、Ｖ．２７ｔｅｒフォールバックモード（ＦＢＭ）、Ｖ．２９、Ｖ．３３、およびＶ．１７を含んでいる。プロトコル情報は、ＤＩＳメッセージ中の４ビット領域に含まれている。
【００２８】
さらに、ＤＩＳメッセージは、グループＩおよびグループＩＩ動作ならびにエラー補正動作を含む、宛先ファックス機器１８ｂについての他の情報も含んでいる。この他の情報のほとんどは、ＤＩＳメッセージのビット領域１−８および２５−７２に含まれている。
【００２９】
本発明の一実施形態によれば、ステップ７０でＤＩＳメッセージが受信されたと決定されるまで、宛先インターフェイス２４ｂは、ステップ６６で引き続きＶ．２１メッセージを処理および検査する。本発明の好ましい実施形態においては、ＤＩＳメッセージが受信されると、ステップ７２で、宛先インターフェイス２４ｂはＤＩＳメッセージとＣＳＩメッセージのみをデジタルチャネルを通して発信元インターフェイス２４ａに転送する。したがって、本発明の好ましい実施形態では、ＮＳＦメッセージで示されるすべての非標準機能は、発信元ファックス機器１８ａによって受信されない。
【００３０】
ステップ７４において、発信元インターフェイス２４ａは、宛先インターフェイス２４ｂから受信されたＤＩＳおよびＣＳＩメッセージを処理する。最大データレートが発信元インターフェイス２４ａおよび宛先インターフェイス２４ｂ間のデジタルチャネルの最大データレートを超える場合、この処理には、ＤＩＳメッセージを検査して受け入れ可能な変調プロトコルおよび特定された最大データレートを決定することが含まれる。最大レートがデジタルチャネルレートを超えている場合には、発信元インターフェイス２４ａは、異なる最大データレートと、可能であれば下記でさらに詳述されるような異なる変調プロトコルとを示すようにＤＩＳメッセージを修正する。さらに、本発明の一実施形態においては、発信元インターフェイス２４ａは、ＤＩＳメッセージのビットフィールド２５−７２を捨て、ビットフィールド１−８をロジックゼロに設定して、これらの領域によって特定されるオプションが何もないことを明らかにし、これによりファックス処理を単純化する。
【００３１】
発信元インターフェイス２４ａはさらに、４０ミリ秒（ｍｓ）の期間を示すためＤＩＳメッセージ中の最小走査線時間（ＭＳＬＴ）領域を修正する。この期間は、Ｔ．３０によって特定される最大値である。このＭＳＬＴは、宛先ファックス機器でのプリントを可能にするために、発信元ファックス機器１８ａからのページのラインの送信の間に割り当てられた時間間隔である。宛先ファックス機器１８ｂがデータラインをより早く処理できる場合であっても、本発明は、４０ミリ秒のＭＳＬＴを要求するようにＤＩＳメッセージを修正することによって、デジタルチャネルによって生じる断続的な送信遅延から回復するために利用可能なライン間の時間間隔を提供する。
【００３２】
表Ｉは、ＤＩＳ中で特定されるデータレートおよび変調プロトコルを一覧表にしている。このＤＩＳは、宛先インターフェイス２４ｂから受信され、また宛先ファックス機器１８ｂ（ＤＩＳＤｅｓｔ）から送信されるＤＩＳメッセージ中で特定された、所定のデジタルチャンネルレート（ＤＣＲ）および所定のセットのファックス復調レートに対するステップ７４でのＤＩＳメッセージの修正後に、発信元インターフェイス２４ａから発信元ファックス機器１８ａへ送信されるものである。
【表１】
2007306578.tif 000001
【００３３】
ＤＮＣに対する入力は、“修正しない”である。技術的によく知られているように、Ｖ．１７は、１４，４００  ｂｐｓ、１２，０００  ｂｐｓ、９，６００  ｂｐｓおよび７，２００  ｂｐｓのレートを含み、Ｖ．３３は、１４，４００  ｂｐｓおよび１２，０００  ｂｐｓのレートを含み、Ｖ．２９は、９，６００  ｂｐｓおよび７，２００  ｂｐｓのレートを含み、Ｖ．２７ｔｅｒは、４，８００  ｂｐｓおよび２，４００  ｂｐｓのレートを含み、Ｖ．２７ｔｅｒ  ＦＢＭは、２，４００  ｂｐｓを含む。
【００３４】
明らかなように、特定された変調プロトコルおよびレートは、いくつかの例におけるデジタルチャネルレートよりも大きい。しかしながら、このような場合には、発信元インターフェイス２４ａは、発信元ファックス機器１８ａがデジタルチャネルによってサポートされるレートまで低下するまで、下記に述べる発信元ファックス機器１８ａからの初期トレーニング要求に応答してトレーニング失敗（ＦＴＴ）メッセージを送る。
【００３５】
一般に、発信元インターフェイス２４ａは、宛先ファックス機器１８ｂがデジタルチャネルレートに等しいかまたはこれより小さく、ある瞬間には最小値だけデジタルチャネルレートよりも大きいレートを持つプロトコルを受け入れ可能であることを示す。その後、発信元インターフェイス２４ａと発信元ファックス機器１８ａとの間でネゴシエーションされたレートは、デジタルチャネルと互換性を持つ最大発信元ファックス送信レートが実現できるように、ＦＴＴメッセージの送信によってデジタルチャネルレートと宛先ファックスインターフェイスレート（Ｄ＿ＲＡＴＥ）の小さい方を下回るようにされなければならない。
【００３６】
本発明の好ましい実施形態では、発信元インターフェイス２４ａが宛先インターフェイス２４ｂに送信する前にデータを復調するので、発信元インターフェイス２４ａは、宛先ファックス機器１８ｂに対して受け入れ可能な変調プロトコルを示す必要がないことも理解すべきである。復調データを受信すると、宛先インターフェイス２４ｂは、下記に詳細に記載するような高い送信レートで動作するプロトコルを含む宛先ファックス機器１８ｂと互換性を持つ変調プロトコルを用いて再変調できる。
【００３７】
本発明の代替実施形態においては、宛先インターフェイス２４ｂはさらに、ＮＳＦメッセージを発信元インターフェイス２４ａに転送する。これは、ＮＳＦメッセージ中で特定された何らかの特徴がデジタルチャネルと不一致かどうかを決定し、そのような特徴が利用できないことを特定するようにメッセージを修正する。
【００３８】
ステップ７６では、発信元インターフェイス２４ａは、ＤＩＳメッセージを含む修正されたＶ．２１メッセージを、発信元ファックス機器１８ａに送信されるトーンに変調する。これらＶ．２１トーンメッセージは、発信元ファックス機器１８ａから応答を受信するまで再送信される。
【００３９】
発信元ファックス機器１８ａは、ステップ７８においてＶ．２１トーンメッセージを受信し、ステップ８０で非標準特徴設定（ＮＳＳ）、送信加入者識別子（ＴＳＩ）、およびデジタルコマンド信号（ＤＣＳ）を含むことができるＶ．２１トーン応答メッセージを発生して送信する。本発明の好ましい実施形態においては、宛先インターフェイス２４ｂがＮＳＦメッセージを転送しないので、ＮＳＳメッセージは送信されない。発信元インターフェイス２４ａは、Ｖ．２１トーン応答メッセージをＶ．２１デジタルデータ応答に変換する。すなわち、発信元インターフェイス２４ａはＶ．２１トーン応答メッセージを復調する。
【００４０】
ステップ８２で、各Ｖ．２１トーン応答メッセージが復調された後、発信元インターフェイス２４ａは、ＤＣＳメッセージを検査して発信元ファックス機器によって特定される送信レートを決定し、宛先インターフェイス２４ｂにデジタルＶ．２１メッセージを転送する。ステップ８４では、宛先インターフェイス２４ｂがＤＣＳメッセージの１セットのＭＳＬＴビット領域（２１、２２および２３）を修正して宛先ファックス機器１８ｂが当初要求したものに一致させ、修正されたＶ．２１応答メッセージを再変調し、宛先ファックス機器１８ｂに転送する処理を進める。宛先ファックス機器１８ｂは、ステップ８６でＶ．２１応答メッセージを受信する。
【００４１】
ステップ９２において、発信元ファックス機器１８ａは、ステップ９４で発信元インターフェイス２４ａにより受信されるトレーニングチェック（ＴＣＦ）メッセージを送信することによって、発信元送信レートＳ＿ＲＡＴＥのネゴシエーションを開始する。
【００４２】
同様に、ステップ８８では、宛先インターフェイス２４ｂは、宛先ファックス機器１８ｂにＴＣＦを送ることによって、宛先ファックス送信レートＤ＿ＲＡＴＥのネゴシエーションを開始する。宛先ファックス機器１８ｂはステップ９０でＴＣＦメッセージの受信を開始する。これにより独立レートネゴシエーションの処理が開始する。
【００４３】
下記に記述される多くの例では、ファックス処理はステップ８０ないし８６へ戻る。これらの例においては、ステップ８２および８４において、発信元インターフェイス２４ａと宛先インターフェイス２４ｂの間でＤＣＳメッセージが交換されない。なぜなら、ＤＣＳメッセージに含まれる関連情報が既に宛先インターフェイス２４ｂに知られているからである。この情報の交換を必要としないことで独立レートネゴシエーションの処理がさらにスピードアップし、これによりタイムアウトの危険がさらに減少する。
【００４４】
独立レートネゴシエーションは、発信元ファックスインターフェイス２４ａおよび発信元ファックス機器１８ａ間の発信元ファックスインターフェイスレートＳ＿ＲＡＴＥのネゴシエーションであり、宛先インターフェイス２４ｂおよび宛先ファックス１８ｂ間の宛先ファックスインターフェイスレートＤ＿ＲＡＴＥのネゴシエーションである。ここで、最小数のメッセージが発信元インターフェイス１８ａと宛先インターフェイス１８ｂとの間で交換される。これは、宛先ファックスインターフェイスレートＤ＿ＲＡＴＥが、発信元ファックスインターフェイスレートＳ＿ＲＡＴＥおよびデジタルチャネルレートを超えるようにすることによって達成される。さらに、発信元インターフェイス２４ａおよび宛先インターフェイス２４ｂを十分にインテリジェントにして、互いに通信する必要なく適切なインターフェイスレートを決定し、Ｖ．２１およびＴ．３０にしたがった発信元および宛先ファックス機器１８ａおよび１８ｂを処理してこれに応答することによって独立レートネゴシエーションが達成される。
【００４５】
ステップ１４０では、発信元インターフェイス２４ａは、ステップ９４で受信したＴＣＦが有効かどうかを決定し、有効でない場合には、ステップ１４２で発信元ファックス機器１８ａにＦＴＴを送信し、発信元ファックス機器１８ａから次のＤＣＳおよびＴＣＦメッセージを受信するためにステップ８２へ戻る。ステップ８２が一度より多く実行された場合には、ＤＣＳメッセージは当初実行されたように、宛先インターフェイス２４ｂに再び転送されないから、発信元および宛先インターフェイスによって実行されるレートネゴシエーションが独立のまま保たれる。ＴＣＦが有効な場合には、発信元インターフェイス２４ａは図５Ｂへ進む。
【００４６】
図５Ｂを参照すると、ステップ９７で宛先ファックス機器１８ｂは、トレーニング失敗メッセージ（ＦＴＴ）または受信確認メッセージ（ＣＦＲ）のいずれかで宛先インターフェイス２４ｂからのＴＣＦに応答する。これは、ステップ１０１において宛先インターフェイス２４ｂにより受信され、復調されて、発信元インターフェイス２４ａに転送される。
【００４７】
発信元インターフェイス２４ａにおいて、ステップ１５２での、発信元ファックス機器１８ａからの追加的なＤＣＳおよびＴＣＦメッセージのポーリングのみならず、ステップ１５４での宛先インターフェイス２４ｂからのＦＴＴまたはＣＦＲメッセージのいずれかに対するポーリングが同時に開始する。
【００４８】
ステップ９９では、発信元インターフェイス２４ａは、新たなＴＣＦが受信されたかどうかを決定し、受信されていた場合にはステップ１００でＴＣＦ＿ＣＮＴを増加させる。ＴＣＦ＿ＣＮＴは、発信元インターフェイス２４ａから送信される応答なしに、発信元ファックス機器１８ａから受信されたＴＣＦメッセージの数を追跡するカウンタである。ＴＣＦ＿ＣＮＴはゼロに初期化されている（この初期化については図示されていない）。ＴＣＦが受信されていなかった場合、発信元インターフェイス２４ａはステップ９５に進む。しかし、図５Ａからステップ９９に到達するには有効なＴＣＦが受信されていなければならないことに留意すべきである。それゆえ、ＴＣＦ＿ＣＮＴはステップ９９の第１の実行の間に増加し、このとき１に等しくなる。
【００４９】
ステップ９５では、発信元インターフェイス２４ａは、発信元ファックス機器１８ａがトレーニングを試行するレートである発信元ファックスインターフェイスレートＳ＿ＲＡＴＥがデジタルチャネルレートよりも大きいかを決定し、大きければステップ１１４に進む。
【００５０】
発信元ファックス機器１８ａがトレーニングを試行するレートである発信元ファックスインターフェイスレートＳ＿ＲＡＴＥが、デジタルチャネルレートよりも大きくない場合には、ステップ９６において、ＦＴＴメッセージがステップ１５４で受信されていたかが決定され、受信されていた場合には、ステップ１０３で宛先ファックスインターフェイスレートの推定値ＥＤ＿ＲＡＴＥが減少される。図示していないが、ＥＤ＿ＲＡＴＥは、初期ＤＣＳメッセージにおいて発信元ファックス機器１８ａによって特定されるレートに初期化される。その後発信元インターフェイス２４ａはステップ１０５に進む。
【００５１】
ステップ９６において、ＦＴＴがステップ１５４で宛先インターフェイス２４ｂから受信されていないと決定された場合には、発信元インターフェイス２４ａはステップ１０５へ進む。ステップ１０５で、発信元ファックスインターフェイスレートＳ＿ＲＡＴＥが宛先ファックスインターフェイスレートの推定値ＥＤ＿ＲＡＴＥよりも大きいかが決定され、大きい場合には、発信元インターフェイスはステップ１１４へ進む。
【００５２】
ステップ１０５で、発信元インターフェイスレートＳ＿ＲＡＴＥが宛先ファックスインターフェイスレートの推定値ＥＤ＿ＲＡＴＥよりも大きくないことが決定された場合には、ステップ１１１において、ＣＦＲがステップ１５４で受信されたかが決定される。受信されていた場合には、発信元インターフェイス２４ａは、図５Ｃに示すファックス処理を続ける。
【００５３】
ＣＦＲが受信されていなかった場合には、発信元インターフェイスはステップ９８に進む。ここで、ＴＣＦ＿ＣＮＴが２より大きいかが決定される。ＴＣＦ＿ＣＮＴが２より大きくない場合には、発信元インターフェイス２４ａはステップ１５２に戻る。ＴＣＦ＿ＣＮＴが２より大きい場合には、発信元インターフェイス２４ａはステップ１１４へ進む。
【００５４】
ステップ１１４において、ＴＣＦ＿ＣＮＴがゼロより大きい場合には、発信元インターフェイス２４ａがＦＴＴメッセージを発信元ファックス機器１８ａに送信する。ステップ１１４が実行された後に、ステップ１１５でＴＣＦ＿ＣＮＴはゼロに設定され、発信元インターフェイス２４ａはステップ１５２に戻る。既に明記したように、ＴＣＦ＿ＣＮＴは、発信元インターフェイス２４ａから応答が送信されることなく、発信元ファックス機器１８ａから受信したＴＣＦメッセージの数を追跡するカウンタである。ＴＣＦ＿ＣＮＴが２を越えた場合には、ＦＴＴを送信することによって、発信元ファックス機器１８ａでの繰り返しのタイムアウトが回避される。
【００５５】
発信元インターフェイス２４ａによって実行される処理と同時に、ステップ１２０で宛先インターフェイス２４ｂは、ステップ１０１でＣＦＲが受信されたかを決定する。受信されていた場合には、タイマーがステップ１２８でスタートして図５Ｃのファックス処理が続行される。
【００５６】
ＣＦＲが受信されていなかった場合には、ステップ１２１で宛先インターフェイス２４ｂは、ステップ１０１でＦＴＴメッセージが受信されたかを決定する。ＦＴＴメッセージが受信されていた場合には、ステップ１０７で宛先ファックスインターフェイスレートＤ＿ＲＡＴＥが再計算され、ステップ１２４で再計算された宛先ファックスインターフェイスレートＤ＿ＲＡＴＥをＤＣＳおよびＴＣＦメッセージの送信によりネゴシエーションする試行が行われる。これらのメッセージは、ステップ１２６で宛先ファックス機器１８ｂにより受信される。ステップ１２４におけるＤＣＳおよびＴＣＦメッセージの送信の後、ステップ１０１でＦＴＴメッセージが受信されていない場合には、新たなＴＣＦメッセージに対する応答がステップ１０１で受信される。
【００５７】
ステップ１２１で、ＦＴＴメッセージが受信されていないと決定された場合には、ＩＴＵ−ＴＲ  ＴＲ．３０にしたがった所定期間の経過後、宛先ファックスインターフェイス２４ｂは、ステップ１２４で最後のＤＣＳおよびＴＣＦメッセージの送信を繰り返す。
【００５８】
ステップ１５０で、発信元インターフェイス２４ａからのＦＴＴメッセージが受信されるか、または何らの応答も受信されなければ、発信元ファックス機器１８ａはＤＣＳおよびＴＣＦメッセージを送信する。
【００５９】
図５Ｃを参照すると、ステップ２００において、宛先インターフェイス２４ｂは、ファックスページ処理が開始されたかを決定し、開始された場合にはステップ２２４へ進む。ファックスページ処理が開始されていない場合には、ステップ２０２において、ステップ１２８（図５Ｂ）でスタートしたタイマーが満了したかが決定され、満了していない場合にはステップ２００が再び実行される。タイマーが満了した場合には、ブランクラインが宛先ファックス装置１８ｂに送信されて、タイムアウトにより通話がドロップするのを回避する。ブランクラインの送信後、ステップ２００が再び実行される。本発明の好ましい実施形態においては、ブランクラインは、ファックスページ送信がスタートするまで１秒間隔で繰り返し送信される。他の時間間隔が用いられてもよいが、２秒より多い間隔は好ましくない。
【００６０】
ステップ２２１で、発信元ファックス機器１８ａはアナログ接続を通して発信元インターフェイス２４ａにより受信されるファックストーンの形態で、ファックスページの送信を開始する。発信元インターフェイス２４ａは、ステップ２２２で、ファックストーンをデジタルデータに変換し、各ライン中の埋め込みビットを除去することによって、およびこのデジタル信号を宛先インターフェイス２４ｂにデジタルチャネルを通して転送することによって、ファックストーン処理を行う。
【００６１】
宛先インターフェイス２４ｂは、デジタルデータを受信し、宛先ファックス機器１８ｂに送信されるべきファックストーンにデジタルデータを変換し戻すことによって、ステップ２２４でファックス処理を実行する。ファックストーンはステップ２２６で宛先ファックス１８ｂによって受信される。
【００６２】
ファックス処理の過程において、宛先インターフェイス２４ｂはステップ２２４で、宛先ファックス機器１８ｂに送信されるデータに埋め込みビットを挿入して宛先ファックス機器１８ｂのＭＳＬＴ要求を満たし、発信元ファックス送信レートＳ＿ＲＡＴＥよりも大きな宛先ファックス送信レートＤ＿ＲＡＴＥを補償する。
【００６３】
ステップ２１８で、発信元インターフェイス２４ａは、送信されるファックスデータの各ラインの終端でファックスデータの完全なページが送信されたかを決定する。完全にページが送信されていない場合には、ステップ２２２へ戻る。完全なページが送信された後、下記に詳細に記述するように、ステップ２３０ないし２３８においてＶ．２１メッセージ処理が実行される。
【００６４】
ステップ２４０で、発信元インターフェイス２４ａは、ＭＰＳおよびＭＣＦメッセージがステップ２３２で受信されたかを決定する。受信されていない場合には、ステップ１３４ａないし１３４ｄでファックスページ処理は終了する。ＭＰＳおよびＭＣＦメッセージが受信されていた場合には、発信元インターフェイス２４ａはステップ２２２でファックスページ処理を再開する。
【００６５】
ステップ２４２において、宛先インターフェイス２４ｂは、ＭＰＳおよびＭＣＦメッセージがステップ２３４で受信されたかを決定する。受信されていた場合には、図５Ｂのステップ１２８に戻る。ＭＰＳおよびＭＣＦメッセージがステップ２３４で受信されていなかった場合、ファックスページ処理はステップ１３４ｃで終了する。
【００６６】
いくつかの例では、ファックスが送信されたと示す終了メッセージ（ＥＯＭ）は、ステップ２３０および２３８で処理されるが、追加的な文書は異なるパラメータで送信してもよい。この場合、ファックス処理は図５Ａのステップ６８で再開される。
【００６７】
他の例では、再トレーニングが必要であると示す宛先ファックス機器１８ｂからのＲＴＮメッセージが処理される。この場合、ファックス処理は、図５Ａのステップ８０ないし８６で再開される。
【００６８】
さらに他の例では、ＲＴＰメッセージが宛先ファックス２４ｂから受信される。ＭＰＳメッセージに応答してＲＴＰメッセージが受信された場合には、ファックス処理が図５Ａのステップ８０ないし８６で再開される。
【００６９】
図６は、本発明の実施形態にしたがって図５Ｃのステップ２３０ないし２３８でＶ．２１を処理する際の、発信元ファックス機器１８ａ、発信元インターフェイス２４ａ、宛先インターフェイス２４ｂ、および宛先ファックス機器１８ｂによって実行されるステップを示すフローチャートである。ページ終了処理がステップ１３４ａないし１３４ｄで開始され、ステップ２５２で発信元ファックス機器１８ａがＶ．２１プリアンブルメッセージの送信を開始する。
【００７０】
発信元インターフェイス２４ａは、ステップ２５４でプリアンブルメッセージの受信を開始し、短期間経過後、ステップ２５６で送信されたデジタルメッセージを通して、プリアンブルが受信されている旨を宛先インターフェイス２４ｂに通知する。宛先インターフェイス２４ｂはステップ２５８で通知を受信し、これに応答してステップ２６０において宛先ファックス機器で受信されるＶ．２１プリアンブルの発生を開始する。
【００７１】
ステップ２６２で、発信元ファックス機器１８ａからのＶ．２１プリアンブルメッセージの送信が終了し、これがステップ２６４において発信元インターフェイス２４ａで検出される。ステップ２６６で、発信元ファックス機器１８ａは、ステップ２６８で発信元インターフェイス２４ａにおいて受信される、ＥＯＰ、ＭＰＳまたはＥＯＭ Ｖ．２１メッセージを送信する。
ステップ２７０で、発信元インターフェイス２４ａがデジタルＶ．２１メッセージを宛先インターフェイス２４ｂに送信する。これに応答して、宛先インターフェイス２４ｂは、Ｖ．２１プリアンブルの送信が少なくとも１秒期間を有していることを確認し、そうであれば、ステップ２８０でＶ．２１プリアンブルの送信を終了する。その後宛先インターフェイス２４ｂは、デジタルＶ．２１メッセージをステップ２８２で宛先ファックス機器１８ｂによって受信および処理されるトーンＶ．２１メッセージに変換する。
【００７２】
ステップ２８４では、宛先ファックスは、Ｖ．２１応答メッセージを送信することにより応答する。このメッセージは、ステップ２８６で宛先インターフェイス２４ｂによってデジタルメッセージに変換される、メッセージコンファメーション（ＭＣＦ）、再トレーニング肯定（ＲＴＰ）および再トレーニング否定（ＲＴＮ）であってよい。ステップ２８８で、発信元インターフェイス２４ａによってデジタルＶ．２１メッセージが受信され、トーンＶ．２１メッセージに変換される。トーンＶ．２１メッセージは、ステップ２９０で発信元ファックス機器１８ａによって受信される。ステップ２８４ないし２９０は、逆方向においてのみ、ステップ２５２ないし２８２に示された処理中に実行されるような“プリアンブルパイプライン化”を用いて実行されることを理解すべきである。
【００７３】
したがって、発信元インターフェイス２４ａは、発信元ファックス機器１８ａからのプリアンブルの送信が終わる前に宛先インターフェイス２４ｂからのプリアンブルの送信を初期化することによって、Ｖ．２１プリアンブルの送信をパイプライン化する。ページ終了時にＶ．２１プリアンブルメッセージの送信をパイプライン化することは、プリアンブルメッセージの処理に必要な時間を減少させ、その結果、Ｔ．３０タイミング要求を満たすようＶ．２１メッセージをより早く送信できるようになる。
【００７４】
図７は、本発明の一実施形態にしたがって実行される場合のファックス処理時に宛先インターフェイス２４ｂによって行われるステップを示すフローチャートである。このファックス処理はステップ３００で開始し、ステップ３０２で、宛先インターフェイス２４ｂは発信元インターフェイス２４ａからのデータラインをチェックする。受信している場合には、そのラインをデータラインキューに追加する。データラインは、宛先ファックス送信レートＤ＿ＲＡＴＥよりも低いレートで受信できることに留意すべきである。
【００７５】
ステップ３０４で、２つよりも少ないラインがキューに入れられているかを決定し、キューに入れられていなければステップ３０２が再び実行される。キューに入れられていれば、ステップ３０６において、キュー内の最も古いデータラインが高いデータレートで宛先ファックス機器１８ｂに送信される。すなわち、キューは先入れ先出し（ＦＩＦＯ）方法で動作する。
【００７６】
高い送信レートでのデータラインの送信後、宛先インターフェイス２４ｂは、ステップ３０８で、付加的な埋め込みビットを宛先ファックス機器１８ｂに送信する。埋め込みビットの送信後、宛先インターフェイス２４ｂは、ステップ３１２で、発信元インターフェイス２４ａから現データラインに関するライン終了（ＥＯＬ）が受信されているか、またはタイムアウトが満了したかを決定する。そうでなければ、ステップ３０８でさらなる埋め込みビットが送信される。ライン終了（ＥＯＬ）が受信され、またはタイムアウトが満了した場合には、要求されているＭＳＬＴ時間も一致していれば、ステップ３１０で終了ライン（ＥＯＬ）が宛先ファックス機器１８ｂに送信される。要求されたＭＳＬＴ時間が一致していなければ、ＭＳＬＴ時間が満たされるまで付加的な埋め込みビットが送信される。本発明の実施形態においては、タイムアウトはほぼ２秒に等しいが、１秒ないし５秒のタイムアウトも好ましい。
【００７７】
ステップ３１１では、最後のデータラインが受信されたかが決定され、受信されていなければ、ステップ３０２が再び実行される。最後のデータラインが受信されていれば、ステップ３１３で、データラインキューが空かどうかが決定され、空でなければステップ３０６が再び実行される。キューが空の場合には、ステップ３１４でページに関するファックス処理が終了する。
【００７８】
図８は、本発明の一実施形態にしたがった、宛先ファックス送信レートＤ＿ＲＡＴＥが発信元ファックスレートＳ＿ＲＡＴＥよりも高い場合の、宛先インターフェイス２４ｂの動作をさらに図示するタイミング図である。左から右にかけて時間が進み、上の線は、発信元インターフェイスから受信したデータを表し、下の線は、宛先ファックス機器１８ｂに送られるデータを表している。
【００７９】
図５に述べたステップの実行にしたがえば、第１および第２のデータラインは、ライン終了メッセージ（ＥＯＬ）とともに受信され、これらラインはデータラインキュー（図示せず）に入れられる。第２のラインに関するライン終了の受信後、宛先ファックス機器１８ｂへの第１のラインの送信が高い送信レートで開始される。
【００８０】
示された例示的な実施形態では、宛先ファックス機器１８ｂへのライン１の送信は、発信元インターフェイス２４ａからのライン３の受信よりも早く終了する。なぜなら、その送信はより高いデータレートで行われるからである。したがって、ライン２の送信を遅らせるため、ライン３に関するライン終了メッセージが受信されるまで埋め込みビットが送信される。このときには、ライン１に関するライン終了メッセージも送信される。データのページが送信されてしまうまでこの処理が続く。
【００８１】
宛先ファックス機器１８ｂへデータラインを転送する前に受信されたデータをキューに入れることによって、送信レートが不一致の場合に行われる適切な送信が可能となる。なぜなら、データの流れを中断することなく各ラインの終端に埋め込みビットを挿入できるからである。各ラインの終端がファックスデータの正確な送信を妨害することなくそのような埋め込みビットを挿入できる唯一の場所なので、この方法で埋め込みビットを挿入することが必要である。さらに、そのような遅延が宛先ファックスへの一定のデータの流れを維持している間に、キューが必要なデータラインを供給できるので、受信されたデータラインをキューに入れることによって、可変チャネル遅延を補償することも可能となる。
【００８２】
図９は、本発明の一実施形態にしたがったアナログファックス送信を処理するよう構成されたセルラ電話システムを図示している。ワイヤレスデジタル電話通信サービス加入者には、アナログファックス機器２８ａが接続されている修正された加入者ユニット２６が提供される。修正された加入者ユニット２６にはアナログファックスインターフェイスが含まれ、ＲＦ信号で基地局２７とインターフェイスする。本発明の好ましい実施形態では、ＲＦ信号はＩＳ−９５無線インターフェイス標準規格にしたがって変調される。
【００８３】
基地局２７は、アナログファックスインターフェイスも含む基地局制御装置（ＢＳＣ）２９に接続される。ＢＳＣ２９はＰＳＴＮ１６を介してアナログファックス機器２８ｂとインターフェイスする。
【００８４】
ファックスがアナログファックス機器２８ａからアナログファックス機器２８ｂに送信される間、修正された加入者ユニット２６は発信元インターフェイスとして働き、ＢＳＣは宛先インターフェイスとして働く。ファックスがアナログファックス機器２８ｂからアナログファックス機器２８ａに送信される間、ＢＳＣ２９は発信元インターフェイスとして働き、修正された加入者ユニット２６は宛先インターフェイスとして働く。
【００８５】
このように、標準的なアナログファックス機器と互換性を持つデジタルネットワークインターフェイスが説明された。説明にはワイヤレスセルラ電話システムで用いるために構成された実施形態が含まれるが、本発明は、ワイヤベースのデジタルネットワークを含む他のデジタルネットワークとともに用いられてもよい。
【００８６】
上述した好ましい実施形態の説明により当業者は本発明を作り、使用することができる。これらの実施形態に対するさまざまな修正は当業者にとって容易に想到でき、ここで定義された一般的な原理は、進歩的な機能を用いることなく他の実施形態にも適用可能である。したがって、本発明はここに示した実施形態に限定されることを意図しておらず、ここに開示された原理および新規な特徴に一致する最も広い範囲にしたがうものである。
【図面の簡単な説明】
【００８７】
【図１】図１は、アナログ送信システムを通して連結されている２つのファックス機器のブロック図である。
【図２】図２は、アナログ送信システムおよびデジタルワイヤレス送信システムを通して連結された２つのファックス機器のブロック図である。
【図３】図３は、デジタルワイヤレスセルラ電話システムのブロック図である。
【図４Ａ】図４Ａは、本発明の一実施形態にしたがった互いに接続された２つのファックス機器のブロック図である。
【図４Ｂ】図４Ｂは、本発明の一実施形態にしたがった互いに接続された２つのファックス機器のブロック図である。
【図４Ｃ】図４Ｃは、本発明の一実施形態にしたがった互いに接続された２つのファックス機器のブロック図である。
【図４Ｄ】図４Ｄは、本発明の一実施形態にしたがった互いに接続された２つのファックス機器のブロック図である。
【図４Ｅ】図４Ｅは、本発明の一実施形態にしたがった互いに接続された２つのファックス機器のブロック図である。
【図５Ａ】図５Ａは、本発明の一実施形態にしたがって実現される場合のファックス処理におけるさまざまなシステムの動作を示すフローチャートである。
【図５Ｂ】図５Ｂは、本発明の一実施形態にしたがって実現される場合のファックス処理におけるさまざまなシステムの動作を示すフローチャートである。
【図５Ｃ】図５Ｃは、本発明の一実施形態にしたがって実現される場合のファックス処理におけるさまざまなシステムの動作を示すフローチャートである。
【図６】図６は、本発明の一実施形態にしたがったページ終了処理で実行されるステップを示すフローチャートである。
【図７】図７は、発信元ファックス送信レートが本発明の一実施形態にしたがって実行される宛先ファックスインターフェイスよりも小さい場合の宛先インターフェイスの動作を示すフローチャートである。
【図８】図８は、本発明の一実施形態にしたがって実行される場合に宛先インターフェイスを介するデータの送信を示すタイミングチャートである。
【図９】図９は、本発明を用いて構成されたセルラ電話システムのブロック図である。